(57)【要約】【課題】タッチ操作により簡易かつスピーディに電話帳を検索する。【解決手段】表示画面３１には、五十音の各行に対応するタブが表示されるタブ表示領域３２と電話帳の情報を一覧表示する電話帳一覧表示領域３３が形成される。ユーザが所望の通話相手の名前の先頭文字が属する行のタブをタッチし、そのまま所定時間経過すると、その行の後続する文字がプルダウンタブ３４に表示される（ｂ）。そのまま、プルダウンタブ３４に表示されている文字までドラッグし（ｃ）、指を離す（タッチアップ）と、その文字以降の文字を名前の先頭文字とする電話帳データが呼び出されて、電話帳一覧表示領域３３に表示される（ｄ）。このように、ワンタッチで所望の文字を選択することができる。【選択図】図３
2011114515.tif 000002
【特許請求の範囲】
【請求項１】
表示部と、
制御部と、
前記表示部の表示画面上に設けられたタッチパネルと、
電話帳データを記憶する記憶部とを有する携帯端末装置であって、
前記制御部は、電話帳検索モードにおいて、
前記表示画面における第１の表示領域に五十音の各行の先頭文字が表示されたタブを表示させる第１の処理と、
前記タブのいずれかに対応する位置へのタッチが所定時間以上継続していることを検出したときに、そのタブに表示されている文字とその文字の属する行の後続する文字を表示するプルダウンタブを前記表示画面に表示させる第２の処理と、
タッチされている位置が、前記タブから前記プルダウンタブに移動し、プルダウンタブに表示されているいずれかの文字の位置においてタッチアップされたことを検出したときに、前記電話帳データから、タッチアップされた位置の文字以降の文字を先頭文字とするデータを読み出して、前記表示画面に表示させる第３の処理とを
実行するものであることを特徴とする携帯端末装置。
【請求項２】
前記制御部は、さらに、前記タブのいずれかに対応する位置へのタッチが前記所定時間継続する前に、タッチされている位置が、前記第１の表示領域におけるタブが配列されている方向と同一方向に移動したことを検出したときに、該移動に対応して前記第１の表示領域に表示されているタブを変更させる第４の処理を実行することを特徴とする請求項１記載の携帯端末装置。
【請求項３】
表示部と、制御部と、前記表示部の表示画面上に設けられたタッチパネルと、電話帳データを記憶する記憶部とを有する携帯端末装置において、前記電話帳データを検索する方法であって、
前記表示画面における第１の表示領域に五十音の各行の先頭文字が表示されたタブを表示させる第１のステップと、
前記タブのいずれかに対応する位置へのタッチが所定時間以上継続していることを検出したときに、そのタブに表示されている文字とその文字の属する行の後続する文字を表示するプルダウンタブを前記表示画面に表示させる第２のステップと、
タッチされている位置が、前記タブから前記プルダウンタブに移動し、プルダウンタブに表示されているいずれかの文字の位置においてタッチアップされたことを検出したときに、前記電話帳データから、タッチアップされた位置の文字以降の文字を先頭文字とするデータを読み出して、前記表示画面に表示させる第３のステップと
を有することを特徴とする携帯端末装置における電話帳データ検索方法。
【請求項４】
さらに、前記タブのいずれかに対応する位置へのタッチが前記所定時間継続する前に、タッチされている位置が、前記第１の表示領域におけるタブが配列されている方向と同一方向に移動したことを検出したときに、該移動に対応して前記第１の表示領域に表示されているタブを変更させる第４のステップを有することを特徴とする請求項３記載の携帯端末装置における電話帳データ検索方法。
【発明の詳細な説明】
【技術分野】
【０００１】
本発明は、タッチパネルなどのタッチ操作による入力装置を搭載した携帯端末装置に関し、特に、電話帳データの検索時のユーザインターフェイスに関する。
【背景技術】
【０００２】
携帯電話機などの携帯端末装置においては、電話帳又はアドレス帳とよばれるデータベースが備えられており、通話の相手先の名前、電話番号、メールアドレス、住所などのデータが記憶されている。ユーザは、このような電話帳を検索し、検索されたデータを用いて、その相手に電話をかけるなどの処理を行っている。
【０００３】
一般に、電話帳に格納されるデータの数が少ないときは、例えば、あいうえお順でソートした電話帳データを表示するだけでよいが、データ数が多くなってくると、所望のデータを表示させるために、表示画面をスクロールすることが必要となる。
そこで、電話帳データの表示画面の上部に五十音の行をしめす文字「あ」「か」「さ」「た」・・・を示すタブを表示しておき、所望の相手先の先頭文字に対応する行のタブを選択することにより、その行に属する電話帳データを画面上に表示させることが提案されている（特許文献１）。
【先行技術文献】
【特許文献】
【０００４】
【特許文献１】特開２００２−２６１９１８号公報
【発明の概要】
【発明が解決しようとする課題】
【０００５】
近年、タッチパネルなどのタッチ操作による入力装置をデータ入力手段として備えた携帯端末装置が広く用いられるようになってきている。
このような入力装置においては、タッチパネルが液晶表示装置などの表示装置の表示画面上に配設されており、画面上の表示を指や入力ペンなどで押すことにより携帯端末装置を操作することができる。
【０００６】
タッチパネルは、画面上の任意の箇所をタッチし、確定前段階の状態を保持してタッチ箇所を移動することができ、離した任意箇所で操作を確定するという特徴を備えている。
しかしながら、このようなタッチパネルを備えた装置の操作において、従来のキー操作端末のソフトウェアを継承していた為、タッチ操作としてのメリットが活かせず、任意の文字入力を要する場合には、操作中の画面とは別に文字入力キーを表示する必要が生じ、操作手順が多くなり、操作の快適さに欠けるという問題があった。
例えば、上述した従来の電話帳検索においては、従来のキー操作端末ではデータ件数が多くても「ヨミ検索」にて相手の名前のヨミ仮名を入力することにより、ダイレクトに該当データにアクセスすることができる。一方、タッチパネル操作端末では、キー操作端末でハード的に用意されている文字入力用ボタンがなく、常に文字入力用インターフェイスを表示していないため、問題となる。
さらに、文字入力を必要としない入力方法として、五十音の各行に対応するタブを選択することにより、相手先の先頭文字が属する行を選択し、その行に属する電話帳データを表示するものがあったが、同じ行に属するデータの数が多く所望のデータが電話帳表示画面の下の方に存在している場合には、スクロールをして目的のデータを表示させることが必要であり、手数がかかっていた。
【０００７】
そこで、本発明は、タッチパネルのメリットを生かし、電話帳の検索に関する操作を容易かつ好適に行うことができる携帯端末装置及び携帯端末装置における電話帳データ検索方法を提供することを目的としている。
【課題を解決するための手段】
【０００８】
上記目的を達成するために、本発明の携帯端末装置は、表示部と、制御部と、前記表示部の表示画面上に設けられたタッチパネルと、電話帳データを記憶する記憶部とを有する携帯端末装置であって、前記制御部は、電話帳検索モードにおいて、前記表示画面における第１の表示領域に五十音の各行の先頭文字が表示されたタブを表示させる第１の処理と、前記タブのいずれかに対応する位置へのタッチが所定時間以上継続していることを検出したときに、そのタブに表示されている文字とその文字の属する行の後続する文字を表示するプルダウンタブを前記表示画面に表示させる第２の処理と、タッチされている位置が、前記タブから前記プルダウンタブに移動し、プルダウンタブに表示されているいずれかの文字の位置においてタッチアップされたことを検出したときに、前記電話帳データから、タッチアップされた位置の文字以降の文字を先頭文字とするデータを読み出して、前記表示画面に表示させる第３の処理とを実行するものとされている。
また、前記制御部は、さらに、前記タブのいずれかに対応する位置へのタッチが前記所定時間継続する前に、タッチされている位置が、前記第１の表示領域におけるタブが配列されている方向と同一方向に移動したことを検出したときに、該移動に対応して前記第１の表示領域に表示されているタブを変更させる第４の処理を実行するものである。
【０００９】
さらに、本発明の携帯端末装置における電話帳データ検索方法は、表示部と、制御部と、前記表示部の表示画面上に設けられたタッチパネルと、電話帳データを記憶する記憶部とを有する携帯端末装置において、前記電話帳データを検索する方法であって、前記表示画面における第１の表示領域に五十音の各行の先頭文字が表示されたタブを表示させる第１のステップと、前記タブのいずれかに対応する位置へのタッチが所定時間以上継続していることを検出したときに、そのタブに表示されている文字とその文字の属する行の後続する文字を表示するプルダウンタブを前記表示画面に表示させる第２のステップと、タッチされている位置が、前記タブから前記プルダウンタブに移動し、プルダウンタブに表示されているいずれかの文字の位置においてタッチアップされたことを検出したときに、前記電話帳データから、タッチアップされた位置の文字以降の文字を先頭文字とするデータを読み出して、前記表示画面に表示させる第３のステップとを有するものである。
さらにまた、前記タブのいずれかに対応する位置へのタッチが前記所定時間継続する前に、タッチされている位置が、前記第１の表示領域におけるタブが配列されている方向と同一方向に移動したことを検出したときに、該移動に対応して前記第１の表示領域に表示されているタブを変更させる第４のステップを有するものである。
【発明の効果】
【００１０】
本発明の携帯端末装置及び携帯端末装置における電話帳データ検索方法によれば、画面を直接タッチしドラッグするというタッチパネルの自然な操作により検索する名称の頭文字を直接選択することができ、簡易かつスピーディに目的の電話帳データを表示させることが可能となる。
また、タッチアンドドラッグが一連の操作となるため、音声通話を行う利用シーンにおいて、両手を必要とせず、片手にて簡易に操作することができるため好ましい。
【図面の簡単な説明】
【００１１】
【図１】本発明の携帯端末装置の一構成例を示すブロック図である。
【図２】電話帳検索モードにおける処理の流れを示すフローチャートである。
【図３】電話帳検索モードにおける表示画面の遷移の一例を示す図である。
【発明を実施するための形態】
【００１２】
図１は、本発明の携帯端末装置の構成の一例を示すブロック図である。
図１に示すように、本発明の携帯端末装置１は、アンテナ１１、無線受信部や無線送信部などからなる無線通信部１２、音声信号処理やベースバンド信号処理などを行う信号処理部１３、送話用マイクロフォン１４、受話用スピーカ１５、制御プログラムに基づいてこの携帯端末装置全体の制御を行う制御部１６、電話帳データ１８などの各種データや各種制御プログラムなどを記憶する記憶部１７、液晶ディスプレイなどの表示部１９、前記表示部１９の表示画面上に配置されたタッチパネル２０、及び、各種操作ボタン２１などから構成されている。
【００１３】
前記タッチパネル２０は透明に形成されていて前記表示部１９の表示画面の上面に取り付けられている。ユーザが表示画面における機能名などが表示されている部分のタッチパネル２０を指又は入力ペンなどによりタッチすると、前記制御部１６は、タッチパネル２０におけるタッチされた位置の座標を検出して表示画面上の位置を検出し、表示されている機能に対応する処理を実行する。なお、タッチパネル２０としては、抵抗膜方式や静電容量方式など各種の方式のものを使用することができる。
【００１４】
前記電話帳データ１８は、家族や友人、取引先などの相手先ごとに電話番号等の情報を登録したデータであり、各レコードごとに、少なくとも、名前（姓）、名前（名）、よみがな（姓）、よみがな（名）、電話番号、Emailアドレスの情報を含み、さらに、住所（郵便番号）、住所（国）、住所（都道府県）、住所（市町村）、住所（番地）、住所（付加情報）、誕生日、会社名、役職名、グループ、メモ、写真などの各種詳細情報を含んでいる。
【００１５】
このような本発明の携帯端末装置において、前記電話帳データ１８から所望の情報を検索して前記表示部１９に表示する電話帳検索モードにおける処理について、図２及び図３を参照して説明する。
図２は、電話帳検索モードにおける処理の流れを示すフローチャートであり、図３は、電話帳検索モードにおける前記表示部１９の表示画面の遷移の一例を示す図である。
なお、以下において、指（又は入力ペン）でタッチパネルを押して指がタッチパネル面に接触している状態を「タッチダウン」という。また、タッチダウン状態において指がタッチパネル面から離れることを「タッチアップ」という。さらに、指をタッチパネルにタッチ（タッチダウン）し、そのタッチした状態を保持したまま、そのタッチした位置から他の位置まで指を移動させることを「ドラッグ」という。
【００１６】
図２に示すように、表示画面にこの携帯端末装置の有する機能を選択するメインメニューが表示されている状態で電話帳メニューが選択されたとき（ステップＳ１）、あるいは、待受画面が表示されている状態で電話帳メニューに移行するために予め定められているショートカット操作（例えば、十字キーの下方向への押下）が行われたとき（ステップＳ２）に、電話帳検索モードに移行する（ステップＳ３）。このとき、前記表示部１９の表示画面には電話帳データが一覧表示される。
【００１７】
図３の（ａ）は、この電話帳データが一覧表示されている状態を示す図である。
この図において、３１は表示画面である。表示画面３１の上部には、五十音の各行に対応する文字「あ」、「か」、「さ」、「た」、・・・、「ら」、「わ」、「ん」にそれぞれ対応するタブを表示するタブ表示領域（第１の表示領域）３２が設けられている。また、表示画面３１の中央部には、複数の電話帳データを表示することができる電話帳一覧表示領域（第２の表示領域）３３が設けられている。
【００１８】
なお、この実施の形態においては、前記タブ表示領域３２に「あ」〜「な」の５個のタブのみが表示されているが、表示画面３１の横方向の長さが十分であるときには、五十音の各行に対応する文字のタブを全て同時に表示することができる。なお、図示する例のように五十音の各行に対応する文字のうちの一部の文字のタブしか同時に表示することができない場合には、後述するように、いずれかのタブにタッチしている指を左方向又は右方向に動かす操作を行うことにより、横スクロールさせて現在表示されていないタブを表示させることができる。
また、電話帳一覧表示領域３３には、図示するように、電話帳データが１行に１レコード分ずつ表示されており、各行には電話帳に登録されている相手先の名前が表示される。
【００１９】
図２のステップＳ１又はステップＳ２からステップＳ３の電話帳一覧表示状態に移行したときには、図３の（ａ）に示すように、名前のよみの先頭文字が「あ」行に属する文字以降のデータが前記電話帳データ１８から読み出されて表示される。
この実施の形態の携帯端末装置は、この電話帳一覧表示状態において、いわゆる「あかさたな検索」の状態とされている。「あかさたな検索」状態においては、ユーザが五十音の各行の先頭文字である「あ」〜「ん」のいずれかを選択することにより、その行に属する文字からはじまるデータが前記電話帳データ１８から検索されて、降順にソートされて前記電話帳一覧表示領域３３に表示される（後述するステップＳ６）。
なお、このように電話帳一覧表示領域３３に電話帳データが表示されている状態において、電話帳一覧表示領域３３にタッチし、タッチしている指を上方向又は下方向に動かすことにより、表示データを下又は上にスクロールして表示されていない電話帳データを表示させることができる。
【００２０】
このような電話帳一覧表示状態（図３（ａ））において、ユーザがタブ表示領域３２の任意のタブ、例えば、「か」と表示されたタブをタッチ（タッチダウン）したとする（ステップＳ４）。
前記制御部１６は、タブがタッチされている状態（タッチダウン状態）が所定の時間以上（この例では、0.2秒以上）継続するか否かを判定する（ステップＳ５）。
なお、この所定時間は任意に設定することができるが、0.1秒〜0.3秒程度が好適である。この実施の形態では、0.2秒に設定されているものとしている。
【００２１】
前記制御部１６は、ユーザがタッチしたタブから所定時間（0.2秒）を経過する前に指を離した（タッチアップ）したことを検出したときは、タッチされていたタブに表示されている文字を先頭として電話帳一覧を表示させる（ステップＳ６）。例えば、ユーザがタッチしていたタブが「か」であったとすると、電話帳データ１８から先頭の文字が「か」以降の文字であるデータを読み出し、降順にソートして前記電話帳一覧表示領域３３に表示させる。すなわち、通常の「あかさたな検索」となる。
【００２２】
また、前記制御部１６は、ユーザがタッチしたタブから前記所定時間を経過する前に指を横方向にスライドさせたことを検出したときは、タッチしている部分を起点として、タブ表示領域３２におけるタブ表示全体を指がスライドした方向にスライドさせて表示させる（ステップＳ７）。これにより、タブ表示領域３２に表示されていなかったタブを表示させることができる。例えば、図３（ａ）の電話帳一覧表示状態から、ユーザが「た」と表示されているタブをタッチダウンしている状態で、「あ」と表示されている部分まで左方向に指をスライド移動させたとすると、タブ表示領域３２に「た」「な」「は」「ま」「や」と表示されたタブが表示される。
【００２３】
前記制御部１６は、ユーザが所定時間（0.2秒）以上続けてタブをタッチしていることを検出したときは、タッチしているタブの文字の後続部分、すなわち、その行の「い」列、「う」列、「え」列及び「お」列の文字を、そのタブの下の位置にプルダウン表示させる（ステップＳ８）。例えば、ユーザが「か」のタブを前記所定時間以上タッチし続けていたことが検出されると、図３の（ｂ）に示すように、「か」の下に「か」に後続する「きくけこ」の部分を表示するプルダウンタブ３４が表示される。
【００２４】
前記制御部１６は、プルダウンタブ３４が表示された状態で指が離されたことが検出されたとき（タッチアップ）は、プルダウンタブ３４を非表示とする（ステップＳ１０）。そして、タッチしていたタブに対応する文字以降の文字を先頭文字とするデータを電話帳一覧表示領域３３に表示する（ステップＳ１１）。例えば、「か」のタブを所定時間以上タッチし続けプルダウンタブ３４が表示された状態で、そのままタッチアップしたとすると、プルダウンタブ３４は非表示とされて、前記ステップＳ６と同様に、「か」以降の文字を先頭文字とするデータが読み出され。ソートされて前記電話帳一覧表示領域３３に表示される。
【００２５】
プルダウンタブ３４が表示された状態で、ユーザがタッチパネル２０に接触したまま、指を「か」からプルダウンタブ３４の上を下方向にスライドさせていき（ドラッグ）、図３の（ｃ）に示すように、所望の位置（この例の場合は、「く」の位置）で指をタッチパネル２０から離した（タッチアップした）とする（ステップＳ１０）。
【００２６】
前記制御部１６は、プルダウンタブ３４の領域でタッチアップされたことを検出すると、前記プルダウンタブ３４を非表示とする（ステップＳ１１）とともに、タッチアップされたときの座標位置からユーザがタッチアップした文字（この例の場合は、「く」）を検出する。
【００２７】
そして、該タッチアップした文字（「く」）以降の文字を先頭文字とするデータを前記電話帳データ１８から読み出し、ソートして前記電話帳一覧表示領域３３に表示する。図３の（ｄ）は「く」以降の文字を先頭文字とする電話帳データをソートして電話帳一覧表示領域３３に表示している状態を示している。
【００２８】
例えば、ユーザが探していた相手が「栗田ごろう」さんであるときは、ユーザは、上述のように操作することにより、図３の（ｄ）の電話帳一覧表示領域３３の第２行目に表示されている「栗田ごろう」さんのデータにすばやくアクセスすることができる。
そして、名前が表示されている箇所をタッチすることにより、通話を開始したり、前記電話帳データ１８から「栗田ごろう」さんのレコードを全部呼び出して、前記表示画面３１に詳細情報を表示すると伴に、音声発信やメール作成等することができる。さらに、ユーザは記録内容の確認や編集を行うことができる。
【００２９】
このように、本発明によれば、所望の五十音の行が表示されたタブをタッチしつづけることで、その行に属する文字がプルダウン表示され、所望の文字のところまで指を移動させてタッチアップするという簡易な操作を行うだけで、所望の文字が先頭となるようにソートされた電話帳データを表示させることができ、ワンタッチで所望の電話帳データを呼び出して表示させることができる。
さらに、該当する文字の電話帳データが無い場合は、その文字をプルダウンタブに表示しない若しくはプルダウンをグレーアウトする等の表示制御を行っても良い。また、1文字毎のソートであっても、その文字を先頭文字とするデータ数が電話帳一覧表示領域３３の同時表示可能レコード数を上回る場合には、プルダウンタブに所定件数毎に該当するレコードの頭文字２文字を表示することとしても良い。
なお、実施例では五十音順の1文字ごとのソート例を示したが、グループ検索やメモリ番号検索等に応用しても良い。
【符号の説明】
【００３０】
１：携帯端末装置、１１：アンテナ、１２：無線通信部、１３：信号処理部、１４：マイクロフォン、１５：スピーカ、１６：制御部、１７：記憶部、１８：電話帳データ、１９：表示部、２０：タッチパネル、２１：操作ボタン、３１：表示画面、３２：タブ表示領域（第１の表示領域）、３３：電話帳一覧表示領域（第２の表示領域）、３４：プルダウンタブ
【図１】
2011114515.tif 000003
【図２】
2011114515.tif 000004
【図３】
2011114515.tif 000005